(57)【特許請求の範囲】
【請求項１】
上方から下方に向かつて原稿供給トレイ、原稿排出トレイ、記録用紙排出トレイ、記録部及び記録用紙収納部を積層状に設けた画像形成装置において、前記原稿供給トレイ及び原稿排出トレイを、一体化すると共に、所定の設置位置から装置上面側を開口してジヤム紙の排除をできるようにする後退位置まで進退できるようにし、前記記録用紙排出トレイと前記記録部との間に用紙搬送部を設け、前記開口した装置上面側から該用紙搬送部を着脱できるようにしたことを特徴とする画像形成装置。
【請求項２】
前記用紙搬送部を収納する本体フレームに案内部を設け、前記用紙搬送部は、用紙搬送路を形成するフレームの下端寄りから突設した案内ピンを前記案内部に案内させながら前記着脱を行うようにした請求項１記載の画像形成装置。
【請求項３】
前記案内部は、上端側を開口した開口部、中間の起立部、下端寄りの傾斜部及び下端の係合部を有し、前記本体フレームに、前記用紙搬送部を押圧する押圧バネを取付け、前記用紙搬送部を装着するときには、前記案内ピンを前記案内部の開口部から挿入してスライドさせながら係合部へ導き、前記押圧バネで用紙搬送部を起立状態に押圧させて係合部に案内ピンを係合させ、前記用紙搬送部を引き出すときには、前記押圧バネの押圧力に抗して傾斜させながら上方へ引き上げて行うようにした請求項２記載の画像形成装置。
【発明の詳細な説明】
【０００１】
【発明の属する技術分野】
本発明は、原稿の情報を読み取る機能と、記録紙に情報を記録する機能とを備えた画像形成装置（例えば、フアクシミリ装置）におけるジヤム処理や記録部のメンテナンスを容易にするための改良に関するものである。
【０００２】
【従来の技術】
画像形成装置には、上方から下方に向かつて原稿供給トレイ、原稿排出トレイ、記録用紙排出トレイ、記録部及び記録紙収納部を順に積層状に設け、原稿供給トレイから供給されてきた原稿の情報を読取装置で読み取つた後に原稿排出トレイへ排出し、また記録用紙収納部から供給されてきた記録用紙に記録部で記録して記録用紙排出トレイへ排出するものがある。画像形成装置は、操作者と対面する手前側に開閉扉を設け、内部をメンテナンスできるようにしてある。
【０００３】
【発明が解決しようとする課題】
ところが、開閉扉の開いた手前側から内部をメンテナンスするとき、内部奥側のメンテナンスがやり難くなるため、記録部等で生じた用紙ジヤムを修復するための機構が大変複雑になる。
【０００４】
本発明は、上記問題を解消するために、装置上面側を開口させて、用紙ジヤム処理や記録部のメンテナンスを容易に行い得る画像形成装置の提供を目的とする。
【０００５】
【課題を解決するための手段】
請求項１記載の本発明は、上方から下方に向かつて原稿供給トレイ、原稿排出トレイ、記録用紙排出トレイ、記録部及び記録用紙収納部を積層状に設けた画像形成装置において、前記原稿供給トレイ及び原稿排出トレイを、一体化すると共に、所定の設置位置から装置上面側を開口してジヤム紙の排除をできるようにする後退位置まで進退できるようにし、前記記録用紙排出トレイと前記記録部との間に用紙搬送部を設け、前記開口した装置上面側から該用紙搬送部を着脱できるようにしたことを特徴とする画像形成装置である。なお、一体化した原稿供給トレイ及び原稿排出トレイを進退させる構造としては、所定の設置位置から着脱自在に分離できるようするものや、背面側や側面側を中心として仰起揺動できるようにするものがある。
【０００６】
本発明にあつては、一体化した原稿供給トレイ及び原稿排出トレイを後退させて装置上面側を開口することにより、この開口を介して用紙ジヤムの処理を行うことができ、更に、開口した装置上面側から用紙搬送部を引き出すことにより、用紙搬送部で生じている用紙ジヤムの処理を行うことができる。
【０００７】
また、前記用紙搬送部を収納する本体フレームに案内部を設け、前記用紙搬送部は、用紙搬送路を形成するフレームの下端寄りから突設した案内ピンを前記案内部に案内させながら前記着脱を行うようにすることもある。更に、前記案内部は、上端側を開口した開口部、中間の起立部、下端寄りの傾斜部及び下端の係合部を有し、前記本体フレームに、前記用紙搬送部を押圧する押圧バネを取付け、前記用紙搬送部を装着するときには、前記案内ピンを前記案内部の開口部から挿入してスライドさせながら係合部へ導き、前記押圧バネで用紙搬送部を起立状態に押圧させて係合部に案内ピンを係合させ、前記用紙搬送部を引き出すときには、前記押圧バネの押圧力に抗して傾斜させながら上方へ引き上げて行うようにすることもある。
【０００８】
【発明の実施の形態】
以下、本発明に係る画像形成装置（以下、「本発明装置」という）を図面に示す実施の形態に基づいて説明する。
【０００９】
本発明装置１は、図１の断面した正面図に示す如く、上方から下方に向かつて原稿供給トレイ２、原稿排出トレイ３、記録用紙排出トレイ４、記録部５及び記録用紙収納部６を積層状に設けると共に、記録部５と記録用紙排出トレイ４とを接続する用紙搬送部８を設け、更に原稿供給トレイ２及び原稿排出トレイ３に接続する原稿読取装置９を設けてある。本発明装置１は、本体フレーム７の内部に、記録用紙排出トレイ４、記録部５、記録用紙収納部６及び用紙搬送部８を収納してある。記録用紙収納部６は、一つ又は複数（図示略）が備えられ、用紙の補充ができるように、操作側である正面側に引き出し可能となつている。
【００１０】
前記原稿供給トレイ２及び原稿排出トレイ３は、一体化すると共に、本体フレーム７の上に載置等して設置する所定の設置位置Ａから装置上面側を開口してジヤム紙の排除をできるようにする後退位置（図２は後退途中を示す）まで進退できるようにしてある。一体化した原稿供給トレイ２及び原稿排出トレイ３を進退させる構造としては、所定の設置位置Ａから着脱自在に分離できるようにするもの（図２参照）、または背面側又は左右の一方の側面側を中心として仰起揺動できるようにするもの（図示略）がある。設置位置Ａに設置された原稿供給トレイ２及び原稿排出トレイ３は、原稿読取装置９に接続され、原稿供給トレイ２から原稿読取装置９に供給された原稿の情報を原稿読取装置９で読み取られせた後、原稿排出トレイ３へ排出するようにしてある。
【００１１】
前記用紙搬送部８は、図２及び図４に示す如く、用紙搬送路を形成したフレーム１０に、搬送ローラ１１，１１を設けると共に搬送ローラ１１，１１を駆動するための歯車列１３を設けてある。用紙搬送部８は、フレーム１０の下端寄りから案内ピン１２，１２を突設すると共に、本体フレーム７の内部に設けられたスリツト状又は溝状等の案内部１４，１４に案内ピン１２，１２を案内させながら着脱できるようにしてある。各案内ピン１２は、図５に示す如く、平行面１２ａ，１２ａと、両平行面を連結する半円面１２ｂ，１２ｂとを有している。各案内部１４は、上端側を開口した開口部１４ａ、中間の起立部１４ｂ、下端寄りの傾斜部１４ｃ及び下端の切欠き円状の係合部１４ｄを有している。
【００１２】
用紙搬送部８を本体フレーム７の内部の所定位置Ｂ（図５（ｂ）及び図１参照）に装着するときには、各案内部１４の開口部１４ａから挿入した案内ピン１２をスライドさせながら係合部１４ｄに導き、本体フレーム７に取付けてある押圧バネ１５で用紙搬送部８を起立状態に押圧させる。このとき、歯車列１３は、駆動歯車（図示略）に入力歯１３ａ（図４参照）が噛合して駆動するようになる。更に、このとき、各案内ピン１２は、係合部１４ｄに係合し、押圧バネ１５に抗して用紙搬送部８を傾斜させない限り脱係できない状態となる。逆に、本体フレーム７の内部から用紙搬送部８を引き出すときには、押圧バネ１５に抗して用紙搬送部８を傾斜させながら上方へ引き上げて行う（図５（ａ）及び図２参照）。
【００１３】
前記記録用紙排出トレイ４は、所定の設置位置Ｃ（図１参照）から記録部上面側を開口して記録部５のメンテナンスができる後退位置（図２は後退途中を示す）まで進退できるようにしてある。記録用紙排出トレイ４を進退させる構造としては、背面側又は左右の一方の側面側に配したヒンジ部４ａに蓋部４ｂを軸支４ｃして仰起揺動できるようにしたり、全体を所定の設置位置Ｃから着脱自在に分離できるようにしたりする（図２参照）。
【００１４】
前記記録部５は、図１に示す如く、電子写真方式からなり、現像器ユニツト２１、感光体ユニツト２２、定着装置２３及び開閉蓋２４を備えている。現像器ユニツト２１は、トナーを収納する容器部２１ａの内部に撹拌具２１ｂを収納すると共に、供給ローラ２１ｃ及び現像ローラ２１ｄを備えている。感光体ユニツト２２は、感光ドラム２２ａ、帯電器２２ｂ、書込みユニット２２ｃ及び転写ローラ２２ｄを備えている。書込みユニット２２ｃは、開閉蓋２４に取付けられ、開閉蓋２４を閉じたときに、所定位置となるようにしてある。定着装置２３は、熱ローラ２３ａ、加圧ローラ２３ｂ及び排出ローラ２３ｃを備えている。感光体ユニツト２２の書込みユニット２２ｃ及び転写ローラ２２ｄを除く部分並びに現像器ユニツト２１は、図３に示すようにプロセスユニット２５を形成している。プロセスユニット２５は、開閉蓋２４を開いて開口した記録部上面側から着脱できるようになつている。プロセスユニット２５は、感光体ユニツト２２と現像器ユニツト２１とに分離接合できるようになつている。
【００１５】
記録用紙収納部６からピックアップローラ２８により送り出される用紙は、図１に示す搬送ローラ２６，２７を介して用紙搬送路２９に沿つて搬送され、記録部５を通過するときにトナー画像が転写される。そして、トナー画像を担持する用紙は、定着装置２３を通過するときに定着されてコピーとして完成され、排出ローラ２３ｃ及び用紙搬送部８で搬出されて、記録用紙排出トレイ４へ排出される。
【００１６】
もし、用紙搬送部８で用紙ジヤムが発生したときには、図２に示すように、一体化した原稿供給トレイ２及び原稿排出トレイ３を後退させて装置上面側を開口し、この開口を介して用紙ジヤムの処理を行うか、更に用紙搬送部８を上方へ引き出して用紙ジヤムの処理を行う。また、記録部５で用紙ジヤムが発生したときには、記録用紙排出トレイ４の蓋部４ｂを開けて開口するか、記録用紙排出トレイ４の全体を撤去して記録部上面側を開口し、この開口を介して開閉蓋２４を開けた記録部５のプロセスユニツト２５を引き出して用紙ジヤムの処理を行う。記録部５をメンテナンスするときにも、プロセスユニツト２５を引き出して行うことができる。
【００１７】
【発明の効果】
請求項１記載の本発明装置は、用紙ジヤムの処理を容易に行うことができ、且つ簡単な構造で実現でき、更に、用紙搬送部における用紙ジヤムの処理をより一層容易に行うことができる。
【図面の簡単な説明】
【図１】本発明装置の実施の形態を示すものであり、断面した正面図である。
【図２】同実施の形態を示すものであつて、断面し且つ下部を省略した正面図であり、用紙ジヤムの処理やメンテナンスのためにトレイ等を後退させている状態を示すものである。
【図３】同実施の形態を示すものであつて、断面した正面図であり、用紙ジヤムの処理やメンテナンスのために記録部のプロセスユニットを引き出している状態を示すものである。
【図４】同実施の形態を示すものであつて、所定位置に装着された用紙搬送部の中間省略した右側面図である。
【図５】同実施の形態を示すものであつて、（ａ）は装着途中の状態を示す用紙搬送部を拡大して示す正面図、（ｂ）は所定位置に装着された用紙搬送部を拡大して示す正面図である。
【符号の説明】
２…原稿供給トレイ、３…原稿排出トレイ、４…記録用紙排出トレイ、５…記録部、６…記録用紙収納部、８…用紙搬送部、２４…プロセスユニツト、Ａ，Ｃ…設置位置
【図１】
0003733716.tif 000002
【図２】
0003733716.tif 000003
【図３】
0003733716.tif 000004
【図４】
0003733716.tif 000005
【図５】
0003733716.tif 000006